(57)【要約】      （修正有）【課題】製造管理・在庫管理・受注管理・出荷管理・納品管理・現場管理等の点における煩雑化及びコストアップを抑制することができる配管支持具用吊下具を提供する。【解決手段】配管を抱持する配管支持具を、天井スラブ等の取付面から斜め吊下支持する際に用いる配管支持具用吊下具において、吊下具本体が、配管支持バンドであり、該配管支持バンドの配管抱持片の少なくとも一箇所に吊りボルトの如き吊下支持杆の一端を挿通固定可能な透孔が形成された構成であることを特徴とする。【選択図】図１
0003152065.tif 000002
【実用新案登録請求の範囲】
【請求項１】
配管を抱持する配管支持具を、天井スラブ等の取付面から斜め吊下支持する際に用いる配管支持具用吊下具において、
吊下具本体が、配管支持バンドであり、
該配管支持バンドの配管抱持片の少なくとも一箇所に吊りボルトの如き吊下支持杆の一端を挿通固定可能な透孔が形成された構成であることを特徴とする配管支持具用吊下具。
【請求項２】
前記透孔が、配管抱持片の円周方向に沿って二箇所又は三箇所以上形成されていることを特徴とする請求項１に記載の配管支持具用吊下具。
【請求項３】
前記透孔が、配管抱持片の円周方向に長径を有する長孔であることを特徴とする請求項１又は２に記載の配管支持具用吊下具。
【請求項４】
前記配管支持具用吊下具を構成する配管支持バンドのバンド端部を、天井スラブ等の取付面に取り付けられたＴ足やインサートの如き被取付部材に、ボルト・ナットや羽子板ボルトや吊りボルトの如き固定手段により取付固定し、
前記透孔に挿通固定する吊下支持杆の他端に、配管を抱持する配管支持具を取付固定することで、
配管を斜め吊下支持可能な構成であることを特徴とする請求項１〜３のいずれかに記載の配管支持具用吊下具。
【請求項５】
前記配管支持具用吊下具を構成する配管支持バンドの配管抱持片に形成された透孔に挿通固定する吊下支持杆の他端を、天井スラブ等の取付面に吊下状態で固定し、
前記配管支持バンドのバンド端部に、配管を抱持する配管支持具を取付固定することで、
配管を斜め吊下支持可能な構成であることを特徴とする請求項１〜３のいずれかに記載の配管支持具用吊下具。
【考案の詳細な説明】
【技術分野】
【０００１】
本考案は配管支持具用吊下具に関し、詳しくは天井スラブ等の取付面に、水道管、ガス管、冷・暖房管等の各種配管を斜め方向から吊り固定する配管支持具用吊下具に関する。
【背景技術】
【０００２】
天井スラブ等の取付面に吊りボルト等の支持部材による吊下支持に加えて、前記取付面から斜めに垂設した吊下支持杆を付加すること等によって２点支持乃至は３点支持することで防振（防震）構造としたことが一般的に行われている。
【０００３】
本出願人は、かかる技術について研究を続けており、特許文献１〜５等に示すような技術を先に提案している。
【先行技術文献】
【特許文献】
【０００４】
【特許文献１】登録実用新案第３１４８９４３号
【特許文献２】登録実用新案第３１４８８４８号
【特許文献３】登録実用新案第３１４８７０８号
【特許文献４】登録実用新案第３１４８３６１号
【特許文献５】登録実用新案第３１４８３１５号
【考案の概要】
【考案が解決しようとする課題】
【０００５】
配管支持具類は、当業各社の製品カタログ群から明らかなように、極めて膨大な種類を有するだけでなく、各種類毎に素材違い・サイズ違い・仕様違い等のように細目が更に別れており、製造管理・在庫管理・受注管理・出荷管理・納品管理・現場管理等の点において極めて煩雑なものとなってしまっている。
【０００６】
特許文献１〜５に示す技術は、既存構成を有する配管支持具類に新たな構成を付加した構造を有するもの（特許文献１及び４）や、新たな構成を有する専用構造のもの（特許文献２、３及び５）であり、かかる新たな製品の創出は上述した膨大な種類の配管支持具類の煩雑化に更に拍車をかけるものである。特に、使用形態の僅かな違いにも拘らず、全く新規なる構造の製品を創出することは、前述した煩雑化に拍車をかけるだけでなく、コストアップに繋がるものである。
【０００７】
そこで本考案の課題は、製造管理・在庫管理・受注管理・出荷管理・納品管理・現場管理等の点における煩雑化及びコストアップを抑制することができる配管支持具用吊下具を提供することにある。
【課題を解決するための手段】
【０００８】
上記課題を解決する本考案は下記構成を有する。
【０００９】
１．配管を抱持する配管支持具を、天井スラブ等の取付面から斜め吊下支持する際に用いる配管支持具用吊下具において、
吊下具本体が、配管支持バンドであり、
該配管支持バンドの配管抱持片の少なくとも一箇所に吊りボルトの如き吊下支持杆の一端を挿通固定可能な透孔が形成された構成であることを特徴とする配管支持具用吊下具。
【００１０】
２．前記透孔が、配管抱持片の円周方向に沿って二箇所又は三箇所以上形成されていることを特徴とする上記１に記載の配管支持具用吊下具。
【００１１】
３．前記透孔が、配管抱持片の円周方向に長径を有する長孔であることを特徴とする上記１又は２に記載の配管支持具用吊下具。
【００１２】
４．前記配管支持具用吊下具を構成する配管支持バンドのバンド端部を、天井スラブ等の取付面に取り付けられたＴ足やインサートの如き被取付部材に、ボルト・ナットや羽子板ボルトや吊りボルトの如き固定手段により取付固定し、
前記透孔に挿通固定する吊下支持杆の他端に、配管を抱持する配管支持具を取付固定することで、
配管を斜め吊下支持可能な構成であることを特徴とする上記１〜３のいずれかに記載の配管支持具用吊下具。
【００１３】
５．前記配管支持具用吊下具を構成する配管支持バンドの配管抱持片に形成された透孔に挿通固定する吊下支持杆の他端を、天井スラブ等の取付面に吊下状態で固定し、
前記配管支持バンドのバンド端部に、配管を抱持する配管支持具を取付固定することで、
配管を斜め吊下支持可能な構成であることを特徴とする上記１〜３のいずれかに記載の配管支持具用吊下具。
【考案の効果】
【００１４】
請求項１に示す考案によれば、製造管理・在庫管理・受注管理・出荷管理・納品管理・現場管理等の点における煩雑化及びコストアップを抑制することができる配管支持具用吊下具を提供することができる。
【００１５】
特に、全く新規な構成の製品を作成することなく既存の配管支持バンドを用いることで得ることができ、しかも既存の構成に新たな構成を付加するのではなく極めて僅かな加工で得ることができる。
【００１６】
請求項２に示す考案によれば、二箇所又は三箇所以上の透孔の数に応じた箇所・本数の吊下支持構成、或いは透孔の数に応じた２点支持又は３点以上の支持構成とすることができる。
【００１７】
請求項３に示す考案によれば、透孔に挿通固定する吊下支持管の斜め角度を長孔の長径方向に微調整することができる。
【００１８】
請求項４に示す考案によれば、透孔が二箇所であれば２本の吊下支持杆によって２本の配管を、三箇所以上であれば３本以上の配管を、並行状態に斜め吊下支持することができる。
【００１９】
請求項５に示す考案によれば、透孔が二箇所であれば天井スラブ等の取付面への吊下箇所を二箇所とすることができ、透孔が三箇所以上であれば天井スラブ等の取付面への吊下箇所を三箇所以上とすることができ、配管を安定した状態で吊下支持することができる。
【図面の簡単な説明】
【００２０】
【図１】本考案に係る配管支持具用吊下具の一実施例を示す斜視図
【図２】図１に示す配管支持具用吊下具の使用例の一例をを示す概略正面図
【図３】図１に示す配管支持具用吊下具の使用例の他の例を示す概略正面図
【図４】図１に示す配管支持具用吊下具の使用例の他の例を示す概略正面図
【図５】図１に示す配管支持具用吊下具の使用例の他の例を示す概略正面図
【考案を実施するための形態】
【００２１】
次に、添付の図面に従って本考案を詳細に説明する。
【００２２】
本考案に係る配管支持具用吊下具（以下、単に吊下具と言うこともある。）１は、  図２に示すように配管Ｐを抱持する配管支持具２を、天井スラブ等の取付面３から斜め吊下支持する際に用いるものであり、具体的な構成としては、図１に示すように、吊下具１本体が配管支持バンドであり、該配管支持バンドの配管抱持片１１・１１の少なくとも一箇所（本実施例では二箇所）に吊りボルトの如き吊下支持杆４の一端を挿通固定可能な透孔１２が形成された構成である。
【００２３】
配管抱持片１１に形成された透孔１２は、二箇所以上に形成される場合、その形成箇所は配管抱持片１１の円周方向に沿って形成されることが好ましく、配管Ｐを抱持する配管支持具２を吊下支持する吊下支持杆４の斜め吊下角度に応じた位置に形成される。吊下支持杆４の斜め吊下角度の一例としては、本実施例のように２本の吊下支持杆４・４による場合、概ね４５度の角度であることが防振（防震）性の点から好ましい。
【００２４】
吊下具１の本体を構成する配管支持バンドとしては、図１に示すようなバンド端部１３・１３にボルト・ナット固定用の透孔１４・１４と、蝶番部１５を有する蝶番式の一般的な構成のものが好ましいが、蝶番式に限らず組式のものであってもよいし、蝶番式・組式の如き２部材構成ではない一枚構成の配管支持バンド（いわゆる提灯式バンド）や、その他の公知公用の構成を有する配管支持バンドであってもよい。
【００２５】
次に、上記構成を有する吊下具１の使用例について説明する。
【００２６】
図２に示すように、吊下具１を構成する配管支持バンドのバンド端部１３・１３を、天井スラブ等の取付面３に取り付けられたＴ足やインサートの如き被取付部材（本実施例ではインサート）５に、ボルト・ナットや羽子板ボルトや吊りボルトの如き固定手段６により取付固定し、透孔１２・１２に挿通固定する吊下支持杆４・４の他端に、配管Ｐを抱持する配管支持具２を取付固定することで、配管Ｐを斜め吊下支持することができる。尚、透孔１２・１２への吊下支持杆４・４の挿通固定は、本実施例では吊下支持杆４・４として長ボルトを用いているためナット４１を用いた固定構成としている。また、配管支持具２と吊下支持杆４とは、ボルト・ナット２１、Ｌ字金具２２、ナット２３によって接続されている。
【００２７】
以上、本考案に係る配管支持具用吊下具の実施例について説明したが、本考案は上記実施例に限定されず、本考案の範囲内において種々の他の態様を採ることもできる。
【００２８】
例えば、透孔１２の形成箇所は上記実施例の二箇所に限定されず、一箇所であってもよいし、三箇所以上であってもよい。透孔１２を三箇所に形成し、３本の吊下支持杆４・４・４を挿通固定した状態を図３に示す。図３に示す態様は、斜め吊下する吊下支持杆４・４に加えて、直下に垂設する吊下支持杆４を付加する構成であり、本態様の場合、吊下具１の本体として用いる配管支持バンドとしては蝶番部１５が側方に設けられた構成のものを用いることが好ましい。
【００２９】
また、透孔１２の形状は円形に限らず、配管抱持片１１の円周方向に長径を有する長孔であってもよい。長孔とした場合、挿通固定する吊下支持杆４の斜め吊下角度を長径方向に微調整することができる。
【００３０】
更に、図４に示すように、配管Ｐの吊下方向が図２に示した実施例とは異なる向きであっても対応することができる。即ち、図４の態様の場合、同一の配管Ｐの複数箇所（図４の態様では二箇所）を吊下支持することができる。尚、図４に示す態様では、被取付部材５としてＴ足を用いている。Ｔ足である被取付部材５への吊下具１の取付固定はボルト・ナット５１により行っている。
【００３１】
更にまた、配管Ｐを抱持した配管支持具２を斜め吊下支持するのではなく、図５に示すように、天井スラブ等の取付面３に対して斜め吊下支持する際に用いる構成とすることもできる。
【００３２】
図５では、吊下具１を構成する配管支持バンドの配管抱持片１１・１１に形成された透孔１２・１２に挿通固定する吊下支持杆４・４の他端を、天井スラブ等の取付面３に吊下状態で固定し、バンド端部１３・１３に、配管Ｐを抱持する配管支持具２を取付固定することで、配管Ｐを斜め吊下支持する構成となっている。
【符号の説明】
【００３３】
１  配管支持具用吊下具
１１  配管抱持片
１２  透孔
１３  バンド端部
１４  透孔
１５  蝶番部
２  配管支持具
２１  ボルト・ナット
２２  Ｌ字金具
２３  ナット
３  取付面
４  吊下支持杆
４１  ナット
５  被取付部材
６  固定手段
Ｐ  配管
【図１】
0003152065.tif 000003
【図２】
0003152065.tif 000004
【図３】
0003152065.tif 000005
【図４】
0003152065.tif 000006
【図５】
0003152065.tif 000007